(57)【要約】【課題】容易に折り曲げることができるプラスチック構造体、プラスチック製段ボール箱、及び、それらの製造方法を提供する。【解決手段】合成樹脂製の一対の平行なライナー板１０Ａ，１０Ｂの間にリブ１０Ｃを介在させて中空部１０Ｄを形成した中空樹脂板材１０よりなり、一方のライナー板１０Ａの一部及びリブ１０Ｃの一部を切り取ることにより溝が形成されている。溝の幅は、中空樹脂板材の厚み以上、かつ、中空樹脂板材の厚みに２ｍｍを足した大きさ以下である。溝の底部１５Ａに溝の一方の側部を当接させるように折り曲げることができる。【選択図】図２
2015178381.tif 000002
【特許請求の範囲】
【請求項１】
合成樹脂製の一対の平行なライナー板の間にリブを介在させて中空部を形成した中空樹脂板材よりなり、
前記ライナー板の一方及び前記リブを切り取ることにより形成された溝を有し、
前記溝の幅は、前記中空樹脂板材の厚み以上、かつ、前記中空樹脂板材の厚みに２ｍｍを足した大きさ以下であり、
前記溝の底部に前記溝の一方の側部を当接させるように折り曲げることが可能とされた
ことを特徴とするプラスチック構造体。
【請求項２】
合成樹脂製の一対の平行なライナー板の間にリブを介在させて中空部を形成した中空樹脂板材よりなるプラスチック製段ボール箱であって、
前記ライナー板の一方及び前記リブを切り取ることにより形成された溝を有し、
前記溝の幅は、前記中空樹脂板材の厚み以上、かつ、前記中空樹脂板材の厚みに２ｍｍを足した大きさ以下であり、
前記溝の底部に前記溝の一方の側部を当接させるように折り曲げることにより箱状に形成された
ことを特徴とするプラスチック製段ボール箱。
【請求項３】
請求項１に記載のプラスチック構造体の製造方法であって、
前記中空樹脂板材の原板を所定の形状に切断すると共に、折り曲げ部に対応する位置において一方のライナー板及びリブを切り取り、溝を形成することを特徴とするプラスチック構造体の製造方法。
【請求項４】
請求項２に記載のプラスチック製段ボール箱の製造方法であって、
前記中空樹脂板材の原板を所定の形状に切断すると共に、折り曲げ部に対応する位置において一方のライナー板及びリブを切り取り、溝を形成することを特徴とするプラスチック製段ボール箱の製造方法。
【発明の詳細な説明】
【技術分野】
【０００１】
本発明は、折り曲げを容易としたプラスチック構造体及びそれを用いたプラスチック製段ボール箱に関する。
【背景技術】
【０００２】
近年、収納容器として、ポリプロピレン等の合成樹脂製の中空樹脂板材よりなるプラスチック製段ボール箱が用いられている。プラスチック製段ボール箱は、例えば、紙製段ボール箱に比べて、耐久性に優れており、繰り返し使用することができるという特徴を有している。このようなプラスチック製段ボール箱は、例えば、中空樹脂板材の原板を型抜き加工すると共に、折り線を入れ、折り曲げて組み立てたり、また、中空樹脂板材の原板を型抜き加工したのち、折り曲げ機械を用いて折り曲げて組み立てられている（例えば、特許文献１参照）。
【先行技術文献】
【特許文献】
【０００３】
【特許文献１】特開２０１０−３６４０５号公報
【発明の概要】
【発明が解決しようとする課題】
【０００４】
しかしながら、中空樹脂板材の厚みが厚く硬く作られている物は、折り線をつけるのが難しく、折り目を付けても簡単に折り曲げることができないという問題があった。また、きれいに折り曲げ加工するには、専用の折り曲げきが必要になるという問題もあった。更に、型抜き機で型抜きする際に折り線を入れる場合には、大型の抜型が必要となり、抜型の置き場が必要であるという問題もあった。
【０００５】
本発明は、このような問題に基づきなされたものであり、容易に折り曲げることができるプラスチック構造体、プラスチック製段ボール箱、及び、それらの製造方法を提供することを目的とする。
【課題を解決するための手段】
【０００６】
本発明のプラスチック構造体は、合成樹脂製の一対の平行なライナー板の間にリブを介在させて中空部を形成した中空樹脂板材よりなり、ライナー板の一方及び前記リブを切り取ることにより形成された溝を有し、溝の幅は、中空樹脂板材の厚み以上、かつ、中空樹脂板材の厚みに２ｍｍを足した大きさ以下であり、溝の底部に溝の一方の側部を当接させるように折り曲げることが可能とされたものである。
【０００７】
本発明のプラスチック製段ボール箱は、合成樹脂製の一対の平行なライナー板の間にリブを介在させて中空部を形成した中空樹脂板材よりなるものであって、ライナー板の一方及び前記リブを切り取ることにより形成された溝を有し、溝の幅は、中空樹脂板材の厚み以上、かつ、中空樹脂板材の厚みに２ｍｍを足した大きさ以下であり、溝の底部に溝の一方の側部を当接させるように折り曲げることにより箱状に形成されたものである。
【０００８】
本発明のプラスチック構造体の製造方法は、本発明のプラスチック構造体を製造するものであって、中空樹脂板材の原板を所定の形状に切断すると共に、折り曲げ部に対応する位置において一方のライナー板及びリブを切り取り、溝を形成するものである。
【０００９】
本発明のプラスチック製段ボール箱の製造方法は、本発明のプラスチック製段ボール箱を製造するものであって、中空樹脂板材の原板を所定の形状に切断すると共に、折り曲げ部に対応する位置において一方のライナー板及びリブを切り取り、溝を形成するものである。
【発明の効果】
【００１０】
本発明のプラスチック構造体及びプラスチック製段ボール箱によれば、一方のライナー板及びリブを切り取ることにより溝を形成するようにしたので、溝の底部に溝の一方の側部を当接させるように他方のライナー板を折り曲げることにより、容易に折り曲げることができる。
【００１１】
本発明のプラスチック構造体の製造方法及びプラスチック製段ボール箱の製造方法によれば、中空樹脂板材の原板を所定の形状に切断すると共に、折り曲げ部に対応する位置に溝を形成するようにしたので、本発明のプラスチック構造体及びプラスチック製段ボール箱を容易に製造することができると共に、抜型などが必要なく、抜型などの置き場が必要なくなるという効果を有する。
【図面の簡単な説明】
【００１２】
【図１】本発明の一実施の形態に係るプラスチック構造体及びプラスチック製段ボール箱の構成を表す図である。
【図２】図１に示したプラスチック構造体及びプラスチック製段ボール箱の一部を拡大して表す図である。
【発明を実施するための形態】
【００１３】
以下、本発明の実施の形態について図面を参照して詳細に説明する。
【００１４】
図１は、本発明の一実施の形態に係るプラスチック構造体１及びプラスチック製段ボール箱２の構成を表すものであり、（Ａ）はプラスチック構造体１を表す展開図であり、（Ｂ）はプラスチック製段ボール箱２を表す斜視図である。図２は、図１の一部を拡大して表すものであり、（Ａ），（Ｂ）は展開した状態を表し、（Ｃ）は（Ａ）を折り曲げた状態を表し、（Ｄ）は（Ｂ）を折り曲げた状態を表している。図２の（Ａ）と（Ｂ）は、見る方向を９０度変えて異なる箇所を拡大して表している。なお、プラスチック構造体１は、例えば、プラスチック製段ボール箱２を展開したものであり、プラスチック製段ボール箱２は、例えば、プラスチック構造体１を箱状に組み立てたものである。
【００１５】
このプラスチック構造体１及びプラスチック製ダンボール箱２は、合成樹脂製の一対の平行なライナー板１０Ａ，１０Ｂの間にリブ１０Ｃを介在させて中空部１１Ｄを形成した中空樹脂板材１０により構成されている。プラスチック構造体１及びプラスチック製ダンボール箱２は、例えば、いわゆるキャラメル箱型であり、筒状の胴体部を構成する４つの胴体面部１１Ａ，１１Ｂ，１１Ｃ，１１Ｄと、一対の外フラップ部１２Ａ，１２Ｂと、二対の内フラップ部１３Ａ，１３Ｂ，１３Ｃ，１３Ｄと、接合しろ部１４とを備えている。これら各胴体面部１１Ａ，１１Ｂ，１１Ｃ，１１Ｄ、各外フラップ部１２Ａ，１２Ｂ、各内フラップ部１３Ａ，１３Ｂ，１３Ｃ，１３Ｄ、及び、接合しろ部１４は、例えば、折り曲げ部１５を介して一体的に形成されている。
【００１６】
例えば、各胴体面部１１Ａ，１１Ｂ，１１Ｃ，１１Ｄは、折り曲げ部１５を介して一方向に連続して設けられ、各外フラップ部１２Ａ，１２Ｂは、１つの胴体面部１１Ｂに対して、他の胴体面部１１Ａ，１１Ｃと連続していない方向の両側に、折り曲げ部１５を介して連続してそれぞれ設けられている。また、各内フラップ部１３Ａ，１３Ｂ，１３Ｃ，１３Ｄは、例えば、胴体面部１１Ｂの両側に位置する胴体面部１１Ａ，１１Ｃに対して、胴体面部１１Ｂと連続していない方向の両側に、折り曲げ部１５を介して連続してそれぞれ設けられている。接合しろ部１４は、連続して設けられた各胴体面部１１Ａ，１１Ｂ，１１Ｃ，１１Ｄの両端を接合するものであり、例えば、一方の端部に位置する胴体面部１１Ｄに対して、胴体面部１１Ｃとは反対側の辺に折り曲げ部１５を介して連続して設けられている。
【００１７】
折り曲げ部１５は、例えば、一部において中空樹脂板材１０の一方のライナー板１０Ａを切り取ると共に、同一箇所のリブ１０Ｃを切り取ることにより形成された溝により構成されている。溝の幅、すなわち折り曲げ部１５の幅は、中空樹脂板材１０の厚み以上、かつ、中空樹脂板材１０の厚みに２ｍｍを足した大きさ以下であり、溝の底部１５Ａに溝の一方の側部１５Ｂを当接させるように折り曲げることが可能とされている。溝の幅は、例えば、中空樹脂板材１０の厚みに１ｍｍを足した大きさ以下、更には、中空樹脂板材１０の厚みに０．５ｍｍを足した大きさ以下とすればより好ましい。溝の幅が広くなりすぎると、プラスチック製ダンボール箱２の強度が低下してしまうからである。
【００１８】
このプラスチック構造体１及びプラスチック製ダンボール箱２は、例えば、次のようにして製造することができる。まず、中空樹脂板材１０の原板を用意し、例えば、レーザーカッターにより所定の形に切り出す。なお、レーザーカッターに限らず、糸鋸等の他の切断手段を用いて切り出してもよい。例えば、上述したように、各胴体面部１１Ａ，１１Ｂ，１１Ｃ，１１Ｄ及び接合しろ部１４が連続して設けられ、その両脇に、各外フラップ部１２Ａ，１２Ｂ及び各内フラップ部１３Ａ，１３Ｂ，１３Ｃ，１３Ｄがそれぞれ設けられた形状に切断する。
【００１９】
次いで、例えば、ミラーカッター（フライス盤）により、折り曲げ部１５に対応する位置において一方のライナー板１０Ａ及びリブ１０Ｃを切り取り、溝を形成する。具体的には、例えば、各胴体面部１１Ａ，１１Ｂ，１１Ｃ，１１Ｄ、各外フラップ部１２Ａ，１２Ｂ、各内フラップ部１３Ａ，１３Ｂ，１３Ｃ，１３Ｄ、及び、接合しろ部１４が連続している境界位置において、一方のライナー板１０Ａ及びリブ１０Ｃを切り取る。なお、ミラーカッター（フライス盤）に限らず、他の切断手段を用いて切り取ってもよい。これにより溝が形成されたプラスチック構造体１が得られる。
【００２０】
このプラスチック構造体１は、例えば、折り曲げ部１５において、溝の底部１５Ａに溝の一方の側部１５Ｂを当接させるように他方のライナー板１０Ｂを折り曲げ、接合しろ部１４を対向する胴体面部１１Ａに対して接合することにより、プラスチック製ダンボール箱２に組み立てられる。
【００２１】
このように、本実施の形態によれば、一方のライナー板１０Ａの一部及びリブ１０Ｃの一部を切り取ることにより溝を形成するようにしたので、折り曲げ部１５が他方のライナー板１０Ｂのみとなり、溝の底部１５Ａに溝の一方の側部１５Ｂを当接させるように他方のライナー板を折り曲げることにより、容易に折り曲げることができる。
【００２２】
また、中空樹脂板材の原板を所定の形状に切断すると共に、折り曲げ部に対応する位置に溝を形成するようにしたので、本実施の形態のプラスチック構造体１及びプラスチック製段ボール箱２を容易に製造することができる。更に、レーザーカッターやミラーカッター（フライス盤）を用いることにより形成することができるので、抜型などが必要なく、抜型などの置き場が必要なくなるという効果を有する。
【００２３】
以上、実施の形態を挙げて本発明を説明したが、本発明は上記実施の形態に限定されるものではなく、種々変形可能である。例えば、上記実施の形態では、キャラメル箱型の一例を挙げて具体的に説明したが、他の構造のキャラメル箱型についても同様に適用することができ、また、他の形のものにも同様に適用することができる。更に、本発明は、プラスチック製ダンボール箱に限らず、中空樹脂板材よりなり、一部を折り曲げて用いる場合に広く適用することができる。
【００２４】
加えて、図２では、一方向に伸長した板状のリブ１０Ｃを一対のライナー板１０Ａ，１０Ｂの間に複数並べて設ける場合について具体的に示したが、リブ１０Ｃの形状は、一対のライナー板１０Ａ，１０Ｂの間に空間部１１Ｄが形成されればどのような形状でもよい。例えば、リブ１０Ｃを中空円柱状や、中空角柱状に形成し、一対のライナー板１０Ａ，１０Ｂの間に複数並べて設けるようにしてもよい。
【産業上の利用可能性】
【００２５】
プラスチック製段ボール箱等に用いることができる。
【符号の説明】
【００２６】
１…プラスチック構造体、２…プラスチック製ダンボール箱、１０…中空樹脂板材、１０Ａ，１０Ｂ…ライナー板、１０Ｃ…リブ、１０Ｄ…中空部、１１Ａ，１１Ｂ，１１Ｃ，１１Ｄ…胴体面部、１２Ａ，１２Ｂ…外フラップ部、１３Ａ，１３Ｂ，１３Ｃ，１３Ｄ…内フラップ部、１４…接合しろ部、１５…折り曲げ部、１５Ａ…底部、１５Ｂ…側部
【図１】
2015178381.tif 000003
【図２】
2015178381.tif 000004